(57)【要約】【課題】グレンタンクを閉じた状態で機体側に固定するロック機構のロック状態が、路上走行時や作業走行時の機体振動に伴って解除されないように構成する。【解決手段】グレンタンク１２を閉じた状態で機体側に固定するロック機構Ｌを、フック部３４ａを一体的に備えるロックレバー３４と、前記フック部３４ａを係脱させる係合部材３１とで構成するにあたり、前記ロックレバー３４をグレンタンク１２側または揚穀筒１１側に設け、一方前記係合部材３１をロックレバー３４に対応させて揚穀筒１１側またはグレンタンク１２側に設けると共に、前記係合部材３１にロックレバー３４のフック部３４ａを係合させたロック状態から、このロック状態が解除される方向へのロックレバー３４の動きを規制するストッパ４１を前記ロックレバー３４に取付けた。【選択図】図５
2010284104.tif 000002
【特許請求の範囲】
【請求項１】
脱穀部（７）で脱穀された穀粒を揚穀筒（１１）により揚上搬送して一時的に貯留するグレンタンク（１２）を備え、該グレンタンク（１２）を開閉回動自在に機体に支持すると共に、グレンタンク（１２）を閉じた状態で機体側に固定するロック機構（Ｌ）を備えたコンバインにおいて、前記ロック機構（Ｌ）を、フック部（３４ａ）を一体的に備えるロックレバー（３４）と、前記フック部（３４ａ）を係脱させる係合部材（３１）とで構成するにあたり、前記ロックレバー（３４）をグレンタンク（１２）側または揚穀筒（１１）側に設け、一方前記係合部材（３１）をロックレバー（３４）に対応させて揚穀筒（１１）側またはグレンタンク（１２）側に設けると共に、前記係合部材（３１）にロックレバー（３４）のフック部（３４ａ）を係合させたロック状態から、このロック状態が解除される方向へのロックレバー（３４）の動きを規制するストッパ（４１）を前記ロックレバー（３４）に取付けたことを特徴とするコンバインのグレンタンク。
【発明の詳細な説明】
【技術分野】
【０００１】
本発明は、開閉回動自在に機体に支持したコンバインのグレンタンクにおいて、該グレンタンクを閉じた状態で機体側に固定するロック機構に関する。
【背景技術】
【０００２】
従来のコンバインでは、脱穀部で脱穀された穀粒を一時的に貯留するグレンタンクを開閉回動自在に機体に支持すると共に、前記グレンタンクを閉じた状態で機体側に固定するロック機構を備えており、このロック機構をグレンタンクの上部を固定する上部ロック機構と、グレンタンクの下部を固定する下部ロック機構とで構成し、更に両ロック機構の操作部を同時に操作できるように、該操作部をグレンタンクの前側下部に近接させて設けることによって、グレンタンクを閉じた状態での両ロック機構のロック操作とロック解除操作とを一動作で簡単に行えるように構成したものが知られている（例えば、特許文献１参照）。
【先行技術文献】
【特許文献】
【０００３】
【特許文献１】特開２００６−５５０６７号公報（第４−６頁、図３−図１０）
【発明の概要】
【発明が解決しようとする課題】
【０００４】
ところで、上述の如くグレンタンクを閉じた状態で機体側に固定するロック機構を廉価に構成する一つの方法として、グレンタンクの上部を固定する上部ロック機構の操作部を、グレンタンクの下部を固定する下部ロック機構の操作部に近接させることなく上部ロック機構に直接的に構成することによって、ワイヤや引張スプリング等の連係部品を省いてコストダウンを図ることができる。しかし、この場合は、コンバインの路上走行時や作業走行時の機体振動に伴って、上部ロック機構のロック状態が解除されてしまうといった不具合を起こし易かった。
【課題を解決するための手段】
【０００５】
本発明は、上記課題を解決することを目的として創案したものであって、脱穀部で脱穀された穀粒を揚穀筒により揚上搬送して一時的に貯留するグレンタンクを備え、該グレンタンクを開閉回動自在に機体に支持すると共に、グレンタンクを閉じた状態で機体側に固定するロック機構を備えたコンバインにおいて、前記ロック機構を、フック部を一体的に備えるロックレバーと、前記フック部を係脱させる係合部材とで構成するにあたり、前記ロックレバーをグレンタンク側または揚穀筒側に設け、一方前記係合部材をロックレバーに対応させて揚穀筒側またはグレンタンク側に設けると共に、前記係合部材にロックレバーのフック部を係合させたロック状態から、このロック状態が解除される方向へのロックレバーの動きを規制するストッパを前記ロックレバーに取付けたことを特徴としている。
【発明の効果】
【０００６】
本発明によれば、グレンタンクを閉じた状態で機体側に固定するロック機構を、フック部を一体的に備えるロックレバーと、前記フック部を係脱させる係合部材とで構成するにあたり、前記ロックレバーをグレンタンク側または揚穀筒側に設け、一方前記係合部材をロックレバーに対応させて揚穀筒側またはグレンタンク側に設けると共に、前記係合部材にロックレバーのフック部を係合させたロック状態から、このロック状態が解除される方向へのロックレバーの動きを規制するストッパを前記ロックレバーに取付けたので、コンバインの路上走行時や作業走行時の機体振動に伴って、前記係合部材にロックレバーのフック部を係合させたロック状態が解除されてしまうといった従来の不具合を解消することができる。そして、前記ロックレバーによるフック部の係合部材に対する係脱操作時は、ロックレバーに取付けたストッパを容易に作用させることができると共に、その解除も容易に行うことができる。
【図面の簡単な説明】
【０００７】
【図１】コンバインの側面図。
【図２】コンバインの平面図。
【図３】一部を省略した揚穀筒とグレンタンクの斜視図。
【図４】ロック機構の斜視図。
【図５】ロック機構（ストッパ）の作用図。
【発明を実施するための形態】
【０００８】
以下、本発明の実施形態を図面に基づいて詳細に説明する。
【実施例１】
【０００９】
図１及び図２は、コンバインの側面図と平面図であって、コンバインは、走行部である左右一対のクローラ走行装置１Ｌ，１Ｒに支持した走行機体２を有しており、該走行機体２の前部右側にエンジン３を搭載し、このエンジン３の上方には、コンバインの操縦部４を構成する運転席５を配置している。
【００１０】
一方、走行機体２の前部左側には、穀稈の刈取りと搬送を行なう前処理部６を昇降自在に架設し、この前処理部６の後方には、刈取った穀稈を脱穀する脱穀部７と、該脱穀部７で脱穀された後の排稈を後方に搬送する排藁搬送装置８と、該排藁搬送装置８を介して搬送される排藁を切断処理するカッタ装置９を備えている。
【００１１】
また、運転席５の後方には、脱穀部７の図示しない選別部で選別された穀粒を揚穀筒１１により揚上搬送して一時的に貯留するグレンタンク１２が設けてあり、このグレンタンク１２内に一時的に貯留された穀粒は、縦搬送パイプ１３を経て起伏及び回動動作自在な穀粒排出オーガ１４の排出口１４ａから機外に排出できるようになっている。尚、グレンタンク１２は、縦搬送パイプ１３の縦軸心Ｙ周りに、図２に実線で示す閉じた状態の収納位置から二点鎖線で示す開放位置に亘り開閉動自在に走行機体２に支持されている。
【００１２】
そして、運転席５前方の床面を形成する搭乗ステップ１５の前側には、走行機体２の操向及び前処理部６の昇降操作を行うマルチステアリングレバー１６を備えた操縦塔１７を立設している。また、運転席５左側のサイドパネル１８には、主変速レバー１９や副変速レバー２１等のコンバインの操縦に必要な各種操作具と、機体の左右傾斜角を一定の角度に設定する図示しない水平ダイヤル等を配置している。
【００１３】
ところで、図３は、脱穀部７の機体中心側の図示しない側壁に沿って立設した揚穀筒１１とグレンタンク１２の一部を省略した斜視図であって、グレンタンク１２の機体中心側上部に備える穀粒投入口１２ａと揚穀筒１１上部の穀粒排出口１１ａとの連接部には、図示しないゴムシールを介在させて両者１２ａ，１１ａの密接性を高めている。そして、グレンタンク１２の穀粒投入口１２ａと揚穀筒１１上部の穀粒排出口１１ａの下方位置（グレンタンク１２の上下方向略中間位置）には、グレンタンク１２を閉じた状態で機体側に固定するロック機構Ｌを備えており、以下このロック機構Ｌについて詳細に説明する。
【００１４】
図４は、前記ロック機構Ｌの構成を示す斜視図であって、グレンタンク１２の機体中心側の側壁１２ｂには、Ｌ字状に曲げ形成したベースプレート２５が固設してあり、このベースプレート２５に、Ｌ字状に曲げ形成すると共に下側に補強プレート２７を溶接したホルダ２８をボルト２９，２９を用いて螺設している。そして、グレンタンク１２の機体中心側に突出するホルダ２８の突片２８ａには、揚穀筒１１に固設したベース１１ｂにボルト３０，３０を用いて螺設した係合部材３１、即ち略逆三角形のプレート３２に突設したピン３３に臨むＵ字状の切欠き部Ｃを設けてあり、該切欠き部Ｃは、グレンタンク１２を図２に二点鎖線で示す開放位置から縦搬送パイプ１３の縦軸心Ｙ周りに実線で示す閉じた状態の収納位置まで回動させた時、係合部材３１を構成するピン３３に外嵌してグレンタンク１２の収納位置における位置決めと、グレンタンク１２の上下のガタ取りがなされる。
【００１５】
また、ホルダ２８の突片２８ａの基端部側には、係合部材３１を構成するピン３３に係脱する鉤状のフック部３４ａを一体的に備えたロックレバー３４を回動自在に支持している。更に詳しく説明すると、ホルダ２８の突片２８ａの基端部側には、図５に示すロック機構Ｌの作用図のように、ロックレバー３４の回動支点となる雄ネジ付ピン３５が固設してあり、この雄ネジ付ピン３５に略Ｌ字状に形成したプレートからなるロックレバー３４が、ワッシャ３６及びスプリングワッシャ３７を介してロックナット３８，３８を用いて回動自在に締着してあり、それによってロックレバー３４には、適度な回動（操作）抵抗が付与されている。
【００１６】
更に、ロックレバー３４の回動支点となる雄ネジ付ピン３５と、ロックレバー３４の把持部３４ｂとの中間位置には、図５に二点鎖線で示す如くロックレバー３４を上向きに回動させて、揚穀筒１１側に設けた係合部材３１を構成するピン３３に鉤状のフック部３４ａを係合させたロック状態から、該ロック状態が解除される方向へのフック部３４ａの動作を規制するためのストッパ４１を設けている。
【００１７】
前記ストッパ４１は、Ｌ字状に曲げ形成したプレートからなり、ロックレバー３４に固設した雄ネジ付ピン４２にナット４３を用いて螺設することによって、雄ネジ付ピン４２周りにストッパ４１を自在に回動させることができるように構成している。そして、ストッパ４１の下部には、上述の如くロック機構Ｌのロック状態が解除される方向へのフック部３４ａの動作を規制するために、当該ストッパ４１が当接して作用するホルダ２８の突片２８ａの上面Ｓに不要に干渉することなくスムーズに回動するように面取り部４１ａ設けている。尚、図中符号４１ｂは、ストッパ４１の把持部（操作部）に相当する曲げ片である。また、図中符号４４は、ロックレバー３４によってロック機構Ｌのロック状態を解除する際、必要以上にロックレバー３４を回動操作しないようにするためにホルダ２８の突片２８ａに設けた規制ピンである。
【００１８】
更に詳しく説明すると、グレンタンク１２を図２に二点鎖線で示す開放位置から実線で示す閉じた状態の収納位置まで回動させる時は、図５に実線で示すように、グレンタンク１２側に設けたロックレバー３４を予め下向きに回動させて、該ロックレバー３４のＤ部がホルダ２８の突片２８ａに設けた規制ピン４４に当接する状態にしておく。この状態でグレンタンク１２を収納位置まで回動させると、揚穀筒１１側に設けた係合部材３１を構成するピン３３に、ロックレバー３４を回動自在に支持するホルダ２８の突片２８ａに設けたＵ字状の切欠き部Ｃが外嵌する。
【００１９】
次いで上述した状態から、図５に二点鎖線で示す如くロックレバー３４を上向きに回動させると、揚穀筒１１側に設けた係合部材３１を構成するピン３３に鉤状のフック部３４ａが係合してロック状態になる。更に、このロック状態において、ロックレバー３４に設けたストッパ４１の把持部４１ｂを持ちながら、その作用面４１ｃがホルダ２８の突片２８ａの上面Ｓに当接するまで当該ストッパ４１を回動させる。このようにすると、揚穀筒１１側に設けた係合部材３１を構成するピン３３に鉤状のフック部３４ａを係合させたロック状態から、該ロック状態が解除される方向へのフック部３４ａの動作、即ちコンバインの路上走行時や作業走行時の機体振動に伴って、前記ロック状態が解除される方向へのロックレバー３４の動きをストッパ４１によって規制することができる。また、本実施例では、ロックレバー３４をグレンタンク１２側に、係合部材３１を構成するピン３３を揚穀筒１１側に設けているが、ロックレバー３４を揚穀筒１１側に、係合部材３１を構成するピン３３をグレンタンク１２側に設けてロック機構Ｌを構成してもよい。尚、上述の如くロックレバー３４の動きを規制するストッパ４１は、コンバインの操縦部４（搭乗ステップ１５）に搭乗したオペレータ（作業者）が楽な姿勢で操作できるように、その把持部に相当する曲げ片４１ｂを操縦部４側に向けて突出させてある。
【００２０】
以上説明したグレンタンク１２を閉じた状態で機体側に固定するロック機構Ｌによれば、グレンタンク１２を閉じた状態で機体側に固定するロック機構Ｌを、フック部３４ａを一体的に備えるロックレバー３４と、前記フック部３４ａを係脱させる係合部材３１とで構成するにあたり、前記ロックレバー３４をグレンタンク１２側または揚穀筒１１側に設け、一方前記係合部材３１をロックレバー３４に対応させて揚穀筒１１側またはグレンタンク１２側に設けると共に、前記係合部材３１にロックレバー３４のフック部３４ａを係合させたロック状態から、このロック状態が解除される方向へのロックレバー３４の動きを規制するストッパ４１を前記ロックレバー３４に取付けたので、コンバインの路上走行時や作業走行時の機体振動に伴って、前記係合部材３１にロックレバー３４のフック部３４ａを係合させたロック状態が解除されてしまうといった従来の不具合を解消することができる。そして、前記ロックレバー３４によるフック部３４ａの係合部材３１に対する係脱操作時は、ロックレバー３４に取付けたストッパ４１を容易に作用させることができると共に、その解除も容易に行うことができる。
【符号の説明】
【００２１】
７      脱穀部
１１    揚穀筒
１２    グレンタンク
３１    係合部材
３４    ロックレバー
３４ａ  フック部
３４ｂ  把持部
４１    ストッパ
Ｌ      ロック機構
【図１】
2010284104.tif 000003
【図２】
2010284104.tif 000004
【図３】
2010284104.tif 000005
【図４】
2010284104.tif 000006
【図５】
2010284104.tif 000007